(57)【要約】      （修正有）【課題】安価で信頼性のある住棟のセキュリティシステムを提供する。【解決手段】住棟のセキュリティシステム１００では、ビル・マンションなどの住棟内における通信のために構築されたＬＡＮ２を介して、ＬＯＮ通信方式の各住居内の異常を検出するセキュリティ系４が各住居５に接続されている。前記セキュリティ系は、各住戸の異常を検出する複数のセンサ２２とＩ／Ｆユニット２１を介して接続され、前記センサの異常検出内容に基づき、セキュリティ情報を特定し、前記ＬＡＮ、インターネット網６のいずれか１つを介して、前記セキュリティ情報をサーバ２０に送信する。【選択図】図１
2007133736.tif 000002
【特許請求の範囲】
【請求項１】
ビル、マンション等の住棟にインターネット網と接続されているＬＡＮが構築され、
前記住棟の各住居には、前記ＬＡＮと接続する端子が備えられ、
前記端子には、ＬＯＮ通信方式のセキュリティ系の通信網が接続され、
前記セキュリティ系は、前記ＬＡＮと通信可能に前記端子と接続されるＩ／Ｆユニットと、前記Ｉ／Ｆユニットに接続され、固有のアドレスが割り当てられている前記各住居の異常を検出する複数のセンサと、を備えて構成され、
前記Ｉ／Ｆユニットは、
異常が発生した際に、前記異常を検出したセンサに基づいて前記異常の状態を示すセキュリティ情報を特定する特定手段と、少なくとも前記ＬＡＮ、インターネット網のいずれか１つを介して予め設定された送信端末に前記セキュリティ情報を送信する送信手段を備えていることを特徴とする住棟のセキュリティシステム。
【請求項２】
ビル、マンション等の住棟にインターネット網と接続されているＬＡＮが構築され、
前記住棟の各住居には、前記ＬＡＮと接続する端子が備えられ、
前記端子には、ＬＯＮ通信方式のセキュリティ系の通信網が接続され、
前記セキュリティ系は、前記ＬＡＮと通信可能に前記端子と接続されるＩ／Ｆユニットと、前記Ｉ／Ｆユニットに接続され、固有のアドレスが割り当てられている前記各住居の異常を検出する複数のセンサと、を備えて構成されており、
前記ＬＡＮには、異常が発生した際に、前記異常を検出したセンサに基づいて前記異常の状態を示すセキュリティ情報を特定する特定手段と、少なくとも前記ＬＡＮ、インターネット網のいずれか１つを介して予め設定された送信端末に前記セキュリティ情報を送信する送信手段を備えたサーバが接続されて構成されていることを特徴とする住棟のセキュリティシステム。
【請求項３】
前記送信端末は、インターネット網に接続される少なくとも警備会社の端末、各住居の住居人の携帯端末のいずれか１つを含むことを特徴とする請求項１、又は２に記載の住棟のセキュリティシステム。
【請求項４】
前記セキュリティ情報は、少なくとも住居を特定する部屋番号情報と、異常が発生した位置情報と、前記異常の性質を示す情報と、を含んでいることを特徴とする請求項１乃至３のいずれかに記載の住棟のセキュリティシステム。
【請求項５】
前記ＬＡＮには、前記各住居に設置され、前記複数のセンサに対応する位置近傍の映像情報を撮影する複数のカメラが接続されており、
前記サーバは、前記カメラの情報を記録する記録手段と、を備え、
前記セキュリティ情報には、前記センサに対応するカメラによって撮影された映像情報が含まれていることを特徴とする請求項２乃至４のいずれかに記載の住棟のセキュリティシステム。
【請求項６】
前記映像情報は、前記各住居に異常が発生した際の前後の映像情報であることを特徴とする請求項５に記載の住棟のセキュリティシステム。
【発明の詳細な説明】
【技術分野】
【０００１】
本願は、ビル・マンション等の住棟のセキュリティを管理する住棟のセキュリティシステムに関する。
【背景技術】
【０００２】
現状のビル、マンション等の住棟の通信システムは、外部と通話するための電話通信網、住棟内において通話をするための専用回線、警備会社等と接続するための専用回線等、それぞれ別々に備えられている。よって、電話は通常の電話機により電話通信網を介して行い、住棟内の通話（特に、来客との通話）・住棟内のセキュリティシステムに関するセキュリティ情報の通信はインターホンによりインターホン回線を介して行う。また、住棟のセキュリティシステムについて、警備会社等に委託して行う場合には、新たに住棟内に専用回線を引いている。
【０００３】
従来のセキュリティシステムは、各住居に設置されたセンサと、管理端末と、を所定の専用回線で繋いで、センサが何らかの情報を感知するとその感知情報が管理端末に専用回線を介して送信されるようになっている。そして、警備会社は管理端末に送られてきた感知情報に基づいて警備員をそのセンサが設置されている住居に派遣する。
【０００４】
また、通常、住棟内の各住居には、インターホンが設置されている。さらに、住人は必要であれば、電話機やＰＣ等を電話通信網に接続して使用している。通常、電話機は電話通信網を介して外部との通話を行うのみの機能しか有しておらず、インターネット等の通信を行う場合は、ＰＣ等の通信端末を電話通信網に接続している。また、インターホンは、住棟内のセキュリティ（例えば、火災、ガス漏れ、非常、コール等）情報の表示や住棟内通話はできるものの、一般に外部との通話機能やインターネットとの接続機能、非常時の外部への転送機能等は有していない。したがって、非常時における外部との通話には、別途電話回線による転送装置等の端末が必要となる。また、電話機やインターホンは他の端末（例えば、汎用プリンタ、ＴＶ、ＰＣ）との接続手段を有していない。
【発明の開示】
【発明が解決しようとする課題】
【０００５】
従来のセキュリティシステムは、単にセンサが何らかの情報を感知した旨を管理端末に送信するだけであるので、警備会社は、火事であるのか不審者が侵入したのかなどの情報を知ることはできず、とりあえずセンサが何らかの情報を感知（反応）したら、警備員をそのセンサが設置されている場所に派遣しているため、警備員が到着して調べてみると、センサの誤作動などの場合も多い。また、不審者の侵入などの場合には、住居に警備員が到着するころには、不審者は逃走した後であることも多い。
【０００６】
上述のように、従来のセキュリティシステムにおける情報交換は専用回線を設置して行っていたので、設置に多くの費用がかかるのみでなく、セキュリティシステムの各機器も汎用性がなく、それら機器を新たなものに交換するときには多大の費用を要していた。
【０００７】
また、現状のビル、マンション等の住棟における通信システムは、電話通信網、各専用回線が別々に設けられているため、各機器も別々の通信回線等に接続することとなり、各機器は汎用性をもたないため、煩雑である。
【０００８】
そこで、本願は安価で信頼性のある新しい住棟のセキュリティシステムを提供することを目的とする。
【課題を解決するための手段】
【０００９】
請求項１に記載の住棟のセキュリティシステム（１００）は、ビル、マンション等の住棟にインターネット網（６）と接続されているＬＡＮ（２）が構築され、前記住棟の各住居には、前記ＬＡＮと接続する端子（５１）が備えられ、前記端子には、ＬＯＮ通信方式のセキュリティ系（４）の通信網（４０）が接続され、前記セキュリティ系は、前記ＬＡＮと通信可能に前記端子と接続されるＩ／Ｆユニット（２１）と、前記Ｉ／Ｆユニットに接続され、固有のアドレスが割り当てられている前記各住居の異常を検出する複数のセンサ（２２）と、を備えて構成され、前記Ｉ／Ｆユニットは、異常が発生した際に、前記異常を検出したセンサに基づいて前記異常の状態を示すセキュリティ情報を特定し、少なくとも前記ＬＡＮ、インターネット網のいずれか１つを介して予め設定された送信端末に前記セキュリティ情報を送信する送信手段（４１）を備えていることを特徴とする。
【００１０】
また請求項２に記載の住棟のセキュリティシステムは、ビル、マンション等の住棟にインターネット網と接続されているＬＡＮが構築され、前記住棟の各住居には、前記ＬＡＮと接続する端子が備えられ、前記端子には、ＬＯＮ通信方式のセキュリティ系の通信網が接続され、前記セキュリティ系は、前記ＬＡＮと通信可能に前記端子と接続されるＩ／Ｆユニットと、前記Ｉ／Ｆユニットに接続され、固有のアドレスが割り当てられている前記各住居の異常を検出する複数のセンサと、を備えて構成されており、前記ＬＡＮには、異常が発生した際に、前記異常を検出したセンサに基づいて前記異常の状態を示すセキュリティ情報を特定する特定手段と、少なくとも前記ＬＡＮ、インターネット網のいずれか１つを介して予め設定された送信端末に前記セキュリティ情報を送信する送信手段を備えたサーバ（２０）が接続されて構成されていることを特徴とする。
【００１１】
また、請求項３に記載の住棟のセキュリティシステムは、請求項１、又は２に記載の住棟のセキュリティシステムにおいて、前記送信端末は、インターネット網に接続される少なくとも警備会社の端末、各住居の住居人の携帯端末のいずれか１つを含むことを特徴とする。
【００１２】
また、請求項４に記載の住棟のセキュリティシステムは、請求項１乃至３のいずれかに記載の住棟のセキュリティシステムにおいて、前記セキュリティ情報は、少なくとも住居を特定する部屋番号情報と、異常が発生した位置情報と、前記異常の性質を示す情報と、を含んでいることを特徴とする。
【００１３】
また、請求項５に記載の住棟のセキュリティシステムは、請求項１乃至４のいずれかに記載の住棟のセキュリティシステムにおいて、前記ＬＡＮには、前記各住居に設置され、前記複数のセンサに対応する位置近傍の映像情報を撮影する複数のカメラ（３２）が接続されており、前記サーバは、前記カメラの情報を記録する記録手段（４３）を備え、前記セキュリティ情報には、前記センサに対応するカメラによって撮影された映像情報が含まれていることを特徴とする。
【００１４】
また、請求項６に記載の住棟のセキュリティシステムは、請求項５に記載の住棟のセキュリティシステムにおいて、前記映像情報は、前記各住居に異常が発生した際の前後の映像情報であることを特徴とする。
【発明を実施するための最良の形態】
【００１５】
以下、本願に係る住棟のセキュリティシステムにおける最良の実施形態について図１乃至図６を用いて説明する。図１は本実施形態のセキュリティシステムの概略構成図、図２はセキュリティ情報の表示例を示す図、図３はサーバの概略構成図、図４はセキュリティシステムの利用形態の一例を示す図、図５は映像情報を記録する場合の動作形態の一例を示すフローチャート図、図６は異常が発生した際の動作形態の一例を示すフローチャート図である。
【００１６】
本実施形態のセキュリティシステム１００は、ビル・マンション等の住棟において高速通信網を利用したものである。このセキュリティシステム１００は、ビル・マンションなどの住棟内における通信のために構築されたＬＡＮ２に、ＬＯＮ通信方式の各住居内の異常を検出するセキュリティ系４が各住居５に接続されているものである。
【００１７】
具体的には、このセキュリティシステム１００は、マンション等の住棟にＬＡＮ２を構築するとともに、前記ＬＡＮ２はＩＳＰ（インターネット・サービス・プロバイダ）を介してインターネット網６と接続されている。前記インターネット網６には、前記住棟の安全を管理する警備保障会社の端末７、前記住棟の各住居５に所定の情報を配信したり、セキュリティ情報を管理する情報センターの管理端末９、及び各住居５の住居人が使用する携帯端末１１などが接続されている。なお、インターネット網６として、例えば、光ファイバーケーブルを用いることが好ましい。
【００１８】
また、ＬＡＮ２には、後述するＩ／Ｆユニット２１やカメラ３２を制御するサーバ２０、住棟の各住居５に設置されているインターホン端末３１、各住居５の例えば部屋ごとに設置されている後述するセンサに対応する複数のカメラ３２、住棟を管理する管理人の管理人端末３３、玄関に設置されている訪問者用の玄関端末３４など、が接続されている。なお、カメラ３２は、センサが検知する場所近傍の映像情報を撮影するものであり、基本的には、常時撮影され、その映像情報は後述するサーバ２０の記憶部４３に記憶される。また、カメラ３２に関しては、各住居５の住居人によって撮影の可・不可を設定できる切換スイッチを備えるようにしてもよい。
【００１９】
また、住棟の各住居５には、前記ＬＡＮ２と接続する端子５１が備えられている。この端子５１には、ＬＯＮ通信方式により制御される通信回線４０が接続されている。具体的には、各住居に備えられている端子５１には、Ｉ／Ｆユニット２１が接続されている。このＩ／Ｆユニット２１には、各住居５の部屋ごとに設置され固有のアドレスが割り当てられている複数のセンサ２２、各住居にて発生した異常の状態（部屋のどの部分でどのような異常が発生したか）を示す情報（以下、「セキュリティ情報」と称する。）を表示する表示装置２３が接続されている。センサ２２は、各住居にて発生する異常、例えば、火災、ガス漏れなどを検出するためのセンサであり、各部屋に必ず備えている必要はなく、また、一部屋に複数の異なる異常を検知するセンサを備えていても構わない。また、センサ２２の近傍には、当該センサ２２が検知した異常を視覚としてとらえるためのカメラ３２が設けられている。
【００２０】
また、Ｉ／Ｆユニット２１は住棟に構築されたＬＡＮ２とＬＯＮ通信方式により制御される通信回線４０間の信号／データ伝送路を形成する。また、Ｉ／Ｆユニット２１は、ＣＰＵ、ニューロンチップを備えて構成されており、前記センサ２２にて検出されたセキュリティ情報を例えば、ＬＡＮ２に接続されているサーバ２０に送信するとともに、表示装置２３に表示するように制御する。
【００２１】
図２に示すように、Ｉ／Ｆユニット２１は、住居５の間取りと、センサの位置（図中（１）〜（７））、異常を受信したセンサを色や音声などで知らせるランプ５２〜５２ｆと、を表示装置２３に表示するように制御する。このようにすれば、居住者は、すぐにどこでどのような異常が発生したかを瞬時に理解でき、その後の対応処理を迅速に行える。
【００２２】
また、サーバ２０は、図３に示すように、各端末や装置と通信を行う通信部４１と、Ｉ／Ｆユニット２１から異常を検出したセンサに基づいてセキュリティ情報を特定する特定部４２と、センサ２２に対応づけられたカメラ３２が撮影した映像情報を記憶する記憶部４３と、警備会社の端末７や各住居５の住居者の携帯端末１１など所定の端末に送信するセキュリティ情報を作成するセキュリティ情報作成部４４と、セキュリティ情報を送信する端末（本実施形態では警備会社の端末７や住人の携帯端末１１）を設定する設定部４５と、各部４１〜４５を統括して制御する制御部４６と、を備えている。各部４１〜４６はバス４７を介して電気的に接続されている。また、制御部４６は、図示しないが、演算処理や判断処理を行う機能も備えている。また、サーバ２０の記憶部４３には、固有のアドレスが割り当てられた各センサに対応する部屋番号や、異常が発生した位置、センサが検知する異常の性質（火災や侵入者など）を示す情報が対応付けられたデータベースが予め記憶されている。よって、センサが何らかの異常を検知した際に、データベースを読み出すことにより、そのセンサがどの部屋のどの場所でどのような異常が発生したのかを知ることが可能となっている。
【００２３】
このように構成されたサーバ２０は、特定部４２によりＩ／Ｆユニット２１から送信されるセンサの情報に基づいて、このセンサに対応づけられる異常の位置、性質など異常の状態を示すセキュリティ情報を特定し、通信部４１により当該セキュリティ情報を設定部４５により予め設定された所定の端末（警備会社の端末７、管理人端末３３、居住者の携帯端末１１など）に送信制御する。このようにすれば、警備会社、管理人、又は住居人は、各住居５でどのような異常が発生しているのかを容易に知ることができるのでその後の対応を迅速に行える。
【００２４】
また、特定部４２はセンサの情報に対応づけられるカメラ３２を特定し、制御部４６は当該異常が発生した前後所定の時間分の前記特定されたカメラ３２によって撮影された映像情報を記憶部４３から抽出し、作成部４４によって前記セキュリティ情報に映像情報を追加してセキュリティ詳細情報を作成し、通信部４１によりこのセキュリティ詳細情報を設定部４５により設定された所定の端末に送信制御するようにしても構わない。このようにすれば、警備会社、管理人、情報センター、又は住居人は、各住居５でどのような異常が発生しているのかを具体的且つ容易に知ることができるのでその後の対応を迅速に行える。
【００２５】
また、サーバ２０は、異常が発生した住居のカメラ３２の映像情報を逐次所定の端末に送信制御するようにするようにしても構わない。このようにすれば、例えば、火事であれば、部屋の状態が逐次わかるので、警備員や消防署の署員が住居５に到着した後の処理を迅速に行える。
【００２６】
なお、インターホン端末３１は、一般に使用されているものを使用可能であり、電話機などであっても構わない。具体的には、例えば、インターホン端末３１は、前記ＬＡＮ２を通じた住棟内のデータ通信・通話が可能なＬＡＮ内通信・通話機能、ＴＣＰ/ＩＰプロトコルを持たせ外部の端末（例えば、電話機）と通話が可能な外部通話機能、前記インターネット網６を介してデータ通信可能なインターネット接続機能などを有している。また、管理人端末３２、及び玄関端末３４は、少なくとも前記ＬＡＮ２を通じた住棟内のデータ通信・通話が可能なＬＡＮ内通信・通話機能を有する端末であれば良く、上記各住居に備えられているインターホン端末３１であっても構わない。
【００２７】
また、情報センターの端末９が設置されている情報センターとは、前記住棟周辺の物件情報・周辺情報を提供したいデベロッパー、前記住棟周辺の沿線情報を提供したい電鉄会社、前記住棟周辺の店舗情報を提供したい店舗・飲食店、などと提携しており、情報センターの端末９から前記物件情報、周辺情報、沿線情報、店舗情報等の地域情報を図示しない情報表示装置に配信する。なお、インターホン端末３１など画面を有する表示装置に配信するようにしても構わない。
【００２８】
このように、本実施形態のセキュリティシステム１００は、住棟にＬＡＮ２を構築し、住棟の各住居に備えられている前記ＬＡＮ２と接続している端子にＬＯＮ通信方式によって構築されるセキュリティ系４を接続して構成されている。このＬＯＮ通信方式は、セキュリティ性が高く、高速通信が可能で、通信システムを構築する上での通信言語の制御など接続に係る制御が必要なく容易に接続可能であるため、便利である。
【００２９】
よって、従来であれば、システムを構築する上で、セキュリティの安全を図るための装置や通信言語の制御など接続にかかる装置などが必要であるが、本願のセキュリティシステムは、簡易な接続で通信可能であるため、セキュリティシステムを構築する上で従来と比較してコストを低減することが可能である。
【００３０】
次いで、本願のセキュリティシステムを利用した一例を図４を用いて説明する。
【００３１】
なお、本実施形態のセキュリティシステム１００において、インターホン端末３１を用いて、来訪者が集合玄関に設置されている玄関端末３４にて所定の住居又は管理人へ呼び出しをおこない、前記住居の居住者または管理人を呼び出して通話を成立させるための動作、管理人、住居人間の通話を成立させるための動作などは周知の動作であるので、説明は省略する。
【００３２】
まず、各住居に設置されているカメラ３２は常時起動状態となっており、前記カメラ３２によって撮影された映像情報は逐次サーバ２０に送信される。なお、送信された映像情報はサーバ２０の記憶部４３に記憶される。なお、後述するが映像情報は、映像情報の記録から所定の時間経過後、古い映像情報から順に消去される。
【００３３】
また、各住居において異常が発生すると、センサ２２によってその異常が検知される。Ｉ／Ｆユニット２１は、検知したセンサの情報をサーバ２０に送信するとともに、異常が発生した位置を表示装置２３に表示する。
【００３４】
サーバ２０は、特定部４２によりセンサの情報を受信し、そのセンサの情報に基づいて住居及び異常が発生した位置、センサにより特定される異常の性質（進入者、ガス漏れ、火災など）などのセキュリティ情報を特定し、通信部４１により前記セキュリティ情報を予め規定された警備会社の端末７や異常が発生した住居の住人が使用している居住者の携帯端末１１に送信（通報）する。
【００３５】
警備会社は、そのセキュリティ情報にて警備員を派遣する。また、住人は送信されたセキュリティ情報を見て、必要があるときは、携帯端末１１によりサーバ２０に接続し、具体的なセキュリティ情報の詳細情報を要求することによって、サーバ２０は、記憶部４３からセンサ２２によって異常が検知された時のカメラ３２により撮影された映像情報を抽出し、前記映像情報を携帯端末１１に送信する。
【００３６】
このようにすれば、住人は異常が発生した位置、状況などを瞬時に把握することが可能となり、その後の対応に素早くあたることが可能である。また、警備会社にも同様に映像情報を配信するようにするとなお良い。このようにすれば、警備会社は、異常が発生した位置、状況などを瞬時に把握することが可能となり、その後の対応に素早くあたることが可能となる。
【００３７】
次いで、サーバにおけるセキュリティ情報の入出力動作について、映像情報を記録する場合の動作と、異常が発生した際の動作に分けて、図５、及び図６を用いて説明する。
【００３８】
−映像情報記録動作について−
まず、図５に示すように、ステップＳ１０１では、サーバ２０の制御部４６は、通信部４１が映像情報を受信したか否かを判断する。なお、受信された映像情報は、制御部４６によってサーバ２０の記憶部４３に記憶される。この判断が肯定されれば、ステップＳ１０２に進み、否定されれば、映像情報が受信されるまで待機する。
【００３９】
次いで、ステップＳ１０２では、サーバ２０の制御部４６は、記憶部４３に記憶された映像情報が所定時間Ｈ経過しているか否かを判断する。この判断が否定されれば、ステップＳ１０１に戻り、サーバ２０制御部４６は、映像情報の記録を続ける。肯定されれば、ステップＳ１０３に進む。ステップＳ１０３では、サーバ２０の制御部４６は、予め定められた時間分の古い情報を消去し、ステップＳ１０４では、サーバ２０の制御部４６は、所定時間ＨをリセットしてステップＳ１０１に戻り、サーバ２０の制御部４６は、映像情報の記録を続ける。
【００４０】
―異常発生時の動作について―
まず、図６に示すように、ステップＳ２０１では、サーバ２０の制御部４６は、通信部４１がセンサから異常を検出したか否かを判断する。この判断が肯定されれば、ステップＳ２０２に進み、否定されれば、センサ２２により異常が検出されるまで待機する。
【００４１】
次いで、ステップＳ２０２では、サーバ２０の特定部４２は、センサによる異常の検出に基づいて、住居番号、異常が発生した位置、異常の性質などを特定する。
【００４２】
次いで、ステップＳ２０３では、サーバ２０の情報作成部４４は、特定された情報に基づいて、警備会社の端末７や住人の携帯端末１１に送信するセキュリティ情報を作成する。例えば、１０１号室の居間で火災発生等である。
【００４３】
次いで、ステップＳ２０４では、サーバ２０の通信部４１は、セキュリティ情報を警備会社の端末７及び住人の携帯端末１１に送信する。
【００４４】
次いで、ステップＳ２０５では、サーバ２０の制御部４６は、各住居の住人からの映像情報の要求があったか否かを判断する。この判断が否定されれば、処理を終了し、肯定されれば、ステップＳ２０６に進む。
【００４５】
ステップＳ２０６では、サーバ２０の制御部４６は、記憶部４３からセンサにより異常を検知（異常が発生）した前後の映像情報を抽出し、住人の携帯端末１１に送信する映像情報を作成する。具体的には、この処理では、サーバ２０の制御部４６は、例えば、異常が発生した時間の前後１分の映像情報を記憶部４３から抽出する。
【００４６】
次いで、ステップＳ２０７では、サーバ２０の通信部４１は、映像情報を前記住人の携帯端末１１に送信し、処理を終了する。
【００４７】
なお、セキュリティシステム１００は、マンション等の住棟に限られるものではなく、所定の地域（区域）における複数の住居からなる住宅群等に適用しても構わない。
【００４８】
また、サーバ２０に備えられている機能をＩ／Ｆユニット２１に持たせることも可能である。このように構成した場合には、本実施形態のセキュリティシステムにサーバは必要なくなる。
【００４９】
なお、本実施形態においては、マンション・ビル等にセキュリティシステムを適用しているが、例えば、ある地域における複数の住居からなる住宅群に適用してもよい。この場合、複数の住居からなる住宅群においてＬＡＮを構築する。また、複数の住居は本実施形態におけるマンションの各住居に該当するものである。また、本実施形態におけるサーバ２０の機能をＩ／Ｆユニット２１が受け持つようにしても構わない。さらに、サーバ２０は住棟内のＬＡＮ２に接続されているが、ＬＡＮ２と接続されたインターネット網６などの通信回線を介して接続されていても構わない。
【図面の簡単な説明】
【００５０】
【図１】本実施形態のセキュリティシステムの概略構成図である。
【図２】セキュリティ情報の表示例を示す図である。
【図３】サーバの概略構成図である。
【図４】本願のセキュリティシステムの利用形態の一例を示す図である。
【図５】映像情報を記録する場合の動作形態の一例を示すフローチャート図である。
【図６】異常が発生した際の動作形態の一例を示すフローチャート図である。
【符号の説明】
【００５１】
２  ＬＡＮ
４  セキュリティ系
６  インターネット網
２０  サーバ
２１  Ｉ／Ｆユニット
２２  センサ
２３  表示装置
３２  カメラ
４０  通信回線
４１  通信部
４３  記憶部
５１  端子
１００  セキュリティシステム
【図１】
2007133736.tif 000003
【図２】
2007133736.tif 000004
【図３】
2007133736.tif 000005
【図４】
2007133736.tif 000006
【図５】
2007133736.tif 000007
【図６】
2007133736.tif 000008